(57)【特許請求の範囲】
【請求項１】
像担持体像上に形成されたトナー像を静電気的にシートに転写する転写装置であって、樹脂により構成されたガイド板搬送面を有し前記転写装置内から外部への前記シートの排出搬送時に前記ガイド板搬送面が前記シートの面に接触して該シートの排出搬送をガイドする転写出口ガイド手段と、前記ガイド板搬送面に設けられたスリット部内に前記シートの面が近接した際に該シートを除電するシート除電手段と、を有する転写装置において、
前記ガイド板搬送面の前記スリットに対して前記シート搬送方向下流側領域を構成する材料が、中抵抗領域の導電性樹脂により構成され、
前記ガイド板搬送面の前記スリットに対して前記シート搬送方向上流側領域を構成する材料が、絶縁性樹脂により構成され、かつ、
前記ガイド板搬送面に、該ガイド板搬送面から突出した畝状のリブ部が複数設けられ、前記リブ部は、前記シート搬送方向において、前記シート搬送方向上流側領域から前記スリット部を超えて前記シート搬送方向下流側領域まで延びるように設けられていることを特徴とする転写装置
【請求項２】
前記中抵抗領域の導電性樹脂の体積抵抗率が、１０6Ω・ｃｍ以上１０9Ω・ｃｍ以下であることを特徴とする請求項１に記載の転写装置。
【請求項３】
前記中抵抗領域の導電性樹脂が、ポリエチレンをベース樹脂として構成されてなることを特徴とする請求項１または請求項２に記載の転写装置。
【請求項４】
前記絶縁性樹脂が、ポリカーボネート、ポリエチレンテレフタレート、及び、ポリカーボネートとポリエチレンテレフタレートとの混合樹脂から選ばれる絶縁性樹脂であることを特徴とする請求項１ないし請求項３のいずれか１項に記載の転写装置。
【請求項５】
前記絶縁性樹脂の体積抵抗率が、１０Ω13・ｃｍ以上１０15Ω・ｃｍ以下であることを特徴とする請求項１ないし請求項４のいずれか１項に記載の転写装置。
【請求項６】
前記シート搬送方向上流側の領域が、ポリエチレンテレフタレートにより構成されていることを特徴とする請求項５に記載の転写装置。
【請求項７】
前記複数のリブ部のうち、２つのリブ部の前記シートの搬送方向上流側端が互いにＶ字状に接しており、
前記２つのリブ部以外のリブ部が、前記２つのリブ部を中心にして前記前記シートの搬送方向上流側から下流側へ、前記ガイド板搬送面幅方向外側に向かって広がるように設けられ、
前記シートの搬送方向上流の端がＶ字状に接した前記２つのリブ部以外のリブ部の前記シートの搬送方向上流側の端は、前記ガイド板搬送面幅方向中央側に隣接するリブ部の前記シートの搬送方向下流側の端よりも前記ガイド板搬送面幅方向中央側に位置していることを特徴とする請求項１に記載の転写装置。
【発明の詳細な説明】
【技術分野】
【０００１】
本発明は電子写真プロセスにて画像形成する複写機、プリンタ、ファクシミリなどの画像形成装置で用いられる、像担持体上に形成されたトナー像をシートに転写する転写装置、及び、このような転写装置を有する画像形成装置に関する。
【背景技術】
【０００２】
転写装置は、像担持体上に形成されたトナー像を静電気的にシート表面に転写する装置であり、転写装置でシート表面に転写されたトナー像は次工程である定着工程でシートに定着される。
【０００３】
従来の転写装置を図に基づいて説明する。図７は、従来技術に係る画像形成装置の、転写装置付近の構成を示すモデル図であり、図８は、そのガイド板搬送面８１付近の拡大モデル図である。
【０００４】
この転写装置はユニット化されており、その下方はケーシング３で覆われている。
【０００５】
像担持体である感光体ドラム１表面に形成されたトナー像が転写されるシートは、ともに接地されている駆動ローラ５と従動ローラ４とに懸架された無端状ベルト２によって図中右から左へ搬送される。無端状ベルト２は感光体ドラム１に下方から接している。トナー像の転写に必要な転写バイアスを、無端状ベルト２によって搬送されるシートに印加するバイアスローラ６は、感光体ドラム１に対してシート搬送方向下流側で無端状ベルト２に内側から接しているとともに、高圧電源７に接続されている。
【０００６】
無端状ベルト２のシート搬送方向下流側に設置された転写出口ガイド板１０は、転写出口ガイド部材８と除電部材９とにより構成されている。シートと接触する転写出口ガイド部材８のガイド板搬送面８１は、この例では高抵抗の樹脂により構成されている。
【０００７】
ガイド板搬送面８１には、搬送されるシートの幅方向に長いスリットが、スリット部８２として設けられている。シートの面が近接したときに除電するための複数の除電部材９が、その複数の先端９ａがスリット部８２内、ガイド板搬送面８１から深さ２ｍｍ程度に転写出口ガイド板１０に設けられているとともに、接地されている。
【０００８】
シートは、無端状ベルト２によって感光体ドラム（この例では像担持体でもある）１と無端状ベルト２とから構成されるニップ部を経て、転写出口ガイド板１０へと搬送される。この搬送の際にニップ部で感光体１上に担持されているトナー像がシートに転写される。
【０００９】
転写出口ガイド板１０に搬送されるシートは、その裏面が除電部材９の複数の先端９ａと接触することにより残留電荷が除去される。その後、残留電荷が除去されたシートは、定着入口ガイド板１１へと搬送され、次いで図示しない定着装置へと搬送され、定着装置によりトナー像はシートに定着される。
【００１０】
ここで、シート上のトナー像は、トナーと逆極性のバイアスを印加することで静電的にトナーがシートに吸着し画像を形成している。このために、除電部材９によって除電された後もシートとの摩擦によって、ガイド板搬送面８１のうち、スリット部８２に対してシート搬送方向下流側領域８ｂ（図８参照）に電荷が蓄積し、後続のシートが通過する際に異常放電によって静電的にシートに吸着されたトナーが動き、画像の乱れ（以下「搬送チリ」と呼ぶ）を起こす場合があった。
【００１１】
引用文献１により提案されている技術では、転写出口ガイド板の除電機構よりもシート搬送方向上流側の搬送面に、可変抵抗体を介して接地された中抵抗領域の導電性を有するコロなどの回転部材をその一部を搬送面から突出するように設けている。この構成により、シート搬送性を向上させると共に、シートの特性に合わせて可変抵抗体の抵抗を変化させることにより、シートを緩やかに除電しながら除電部材へ送り届けることで、急激な除電によるトナーの飛散の発生を防いでいる。
【００１２】
しかし、この方法では、除電機構を通過する前の、電荷を帯びたシートが、中抵抗領域の導電性を有する回転部材に接触する構成を有しているために、回転部材自身へのシートの電荷の流れ込みによる画像の乱れが発生する恐れがある。
【００１３】
また、回転部材の回転が、シートとの摩擦を利用する連れ回りによる回転であるために、シートの種類、たとえば平滑性、抵抗率、クラーク剛度などの違いによってシートが回転部材を回転させない場合がある。そのときには、シートが回転部材の表面に有効に接触せず、回転部材による除電工かが十分に得られないおそれがある。このように、シートの種類によっては、回転部材による搬送性向上効果、及び、除電効果が安定して得られず、さらに、回転部材の設置に伴い、従来の除電針等による除電機構とシートとの接触も不安定になる。このように、引用文献１に記載の技術を実際に応用した場合、本来行われるべき除電機構でのシートの除電が安定して行われず、かつ、シートの回転部材への接触時に放電による画像の乱れが起こる懸念が残る。
【発明の概要】
【発明が解決しようとする課題】
【００１４】
本発明は、上述した課題に鑑みなされたものであり、シート上に形成されたトナー像を乱れさせずに後工程に搬送できる転写装置を提供することを目的とする。
【課題を解決するための手段】
【００１５】
本発明の転写装置は、請求項１に記載の通り、像担持体像上に形成されたトナー像を静電気的にシートに転写する転写装置であって、樹脂により構成されたガイド板搬送面を有し前記転写装置内から外部への前記シートの排出搬送時に前記ガイド板搬送面が前記シートの面に接触して該シートの排出搬送をガイドする転写出口ガイド手段と、前記ガイド板搬送面に設けられたスリット部内に前記シートの面が近接した際に該シートを除電するシート除電手段と、を有する転写装置において、前記ガイド板搬送面の前記スリットに対して前記シート搬送方向下流側領域を構成する材料が、中抵抗領域の導電性樹脂により構成され、前記ガイド板搬送面の前記スリットに対して前記シート搬送方向上流側領域を構成する材料が、絶縁性樹脂により構成され、かつ、前記ガイド板搬送面に、該ガイド板搬送面から突出した畝状のリブ部が複数設けられ、前記リブ部は、前記シート搬送方向において、前記シート搬送方向上流側領域から前記スリット部を超えて前記シート搬送方向下流側領域まで延びるように設けられていることを特徴とする転写装置である。
【発明の効果】
【００１６】
本発明に係る転写装置によれば、ガイド板搬送面のスリットに対してシート搬送方向下流側領域を構成する材料が、中抵抗領域の導電性樹脂により構成され、かつ、ガイド板搬送面の下流側領域以外の領域が絶縁性樹脂により構成されている構成により、シート上に形成されたトナー像を乱れさせずに後工程に搬送できる。
また、加えて、前記ガイド板搬送面に、該ガイド板搬送面から突出した畝状のリブ部が複数設けられ、前記リブ部は、前記シート搬送方向において、前記シート搬送方向上流側領域から前記スリット部を超えて前記シート搬送方向下流側領域まで延びるように設けられている構成により、シートとガイド板搬送面とはリブ部のみで接するので接触面積が少なく、このために摩擦による帯電は小規模なものとなる。
【図面の簡単な説明】
【００１７】
【図１】本発明の一実施形態に係る転写装置を示すモデル図である。
【図２】図１に示した装置の転写出口ガイド部材８付近のモデル上面図である。
【図３】上流側領域８ａに絶縁樹脂により構成されたシート１３を貼り付けた他の実施形態例を示す転写出口ガイド部材８付近のモデル図である。
【図４】図３に示した装置の転写出口ガイド部材８付近のモデル上面図である。
【図５】ガイド板搬送面８１にリブ部１４を設けた転写装置の例を示すモデル図である。
【図６】図５に示した装置の転写出口ガイド部材８付近のモデル上面図である。
【図７】従来技術に係る転写装置を示すモデル図である。
【図８】図７に示した装置の転写出口ガイド部材８付近のモデル図である。研磨装置のモデル上面図である。
【発明を実施するための形態】
【００１８】
本発明の実施形態を図に基づいて説明する。図１は本発明に係る画像形成装置の一例の、転写装置付近を示すモデル図であり、図２は、転写出口ガイド部材８付近の上面図である。
【００１９】
この転写装置の例はユニット化されており、その下方はケーシング３で覆われている。
【００２０】
像担持体である感光体ドラム１表面に形成されたトナー像が転写されるシートは、ともに接地された駆動ローラ５と従動ローラ４とに懸架された無端状ベルト２によって図中右から左へ搬送される。無端状ベルト２は、感光体ドラム１に下方からニップ部を形成して接している。トナー像の転写に必要な転写バイアスを、無端状ベルト２によって搬送されるシートに印加するバイアスローラ６は、感光体ドラム１に対してシート搬送方向下流側で無端状ベルト２に内側から接しているとともに高圧電源７に接続されている。
【００２１】
無端状ベルト２のシート搬送方向下流側に設置された転写出口ガイド板１０は、転写出口ガイド部材８と除電部材９とにより構成されている。
【００２２】
ガイド板搬送面８１には、搬送されるシートの幅方向に長いスリットがスリット部８２として設けられている。シート除電手段としてシートの面が近接した際にシートからの放電を受けてシートを除電するための除電部材９がスリット部８２に設けられている。除電部材９は、ステンレスから構成され、厚さ０．２ｍｍの長方形状で、その長辺の１つが隣り合う２つの歯先間隔が２ｍｍとなるように鋸葉状に加工されている。除電部材９は、これら複数の鋸葉状の先端９ａがガイド板搬送面８１から２ｍｍ程度の深さに位置するように設けられているとともに、接地されている。
【００２３】
転写出口ガイド部材８のシート搬送方向下流には、シート表面に転写されたトナー画像をシートに定着させる定着を行う、図示しない定着装置へのシートの搬送をガイドするための定着入口ガイド板１１が設けられている。
【００２４】
シートは、無端状ベルト２によって感光体（この例では像担持体でもある）１と無端状ベルト２とから構成されるニップ部を通って転写出口ガイド板１０へと搬送される。この搬送の際に感光体１上に担持されているトナー像がシートに転写される。
【００２５】
転写出口ガイド板１０に搬送されるシートは、その裏面が除電部材９の複数の先端９ａに近接することにより残留電荷が除去される。その後、シートは定着入口ガイド板１１へと搬送され、次いで図示しない定着装置へと搬送され、定着装置によりトナー像はシートに定着される。
【００２６】
この転写装置では、転写出口ガイド部材８のシートと接触するガイド板搬送面８１のうち、スリット部８２に対してシート搬送方向下流側領域８ｂ（以下、「下流側領域８ｂ」と云う）でガイド板搬送面８１を構成する材料が、中抵抗領域の導電性樹脂により構成されている。さらにこの例では、下流側領域８ｂ以外のガイド板搬送面８１は中抵抗領域の導電性樹脂よりも体積抵抗率の高い絶縁性樹脂により構成されている。具体的には、転写出口ガイド部材８が絶縁性樹脂により構成され、この転写出口ガイド部材８のスリット部８２に対してシート搬送方向下流側領域８ｂに、中抵抗領域の導電性樹脂により構成されたシート１２が貼り付けられている。
【００２７】
このような構成により、シートは、シート表面のトナー画像と転写バイアスローラ６より印加されたシート裏面のプラス電荷とが電気的に釣り合った状態を維持したまま、画像乱れが発生することなく除電部材９へ搬送される。そして、シート除電部材９による除電後は、シート裏面とガイド部材搬送面８１との摩擦による転写出口ガイド部材８の帯電が防止されるので、後続するシートにおいて、シートからガイド部材８への電荷の流入によるトナー像の乱れのリスクが低く抑えられる。
【００２８】
上記では、転写出口ガイド部材８を絶縁性樹脂により構成し、下流側領域８ｂに中抵抗領域の導電性樹脂により構成されたシート１２を貼り付けているが、この構成に代えて、以下に示す構成にしても良い。
【００２９】
すなわち、転写出口ガイド部材８を中抵抗領域の導電性樹脂により成形し、スリット部８２に対してシート搬送方向下流側領域８ａ（以下、「上流側領域８ａ」と云う）に絶縁性樹脂により構成されたシート１３を貼り付けてもよい。
【００３０】
また、転写出口ガイド部材８成形時に、下流側領域８ｂを中抵抗領域の導電性樹脂により成形し、その他の部分を絶縁性樹脂で成形してもよい。あるいは、上流側領域８ａを絶縁性樹脂から、その他の部分を中抵抗領域の導電性樹脂により成形してもよい。
【００３１】
さらには、図３にモデル断面図、図４にモデル上面図を示したように、転写出口ガイド部材８を、これら中抵抗領域の導電性樹脂、及び、絶縁樹脂以外の材料から形成し、上流側領域８ａには絶縁樹脂により構成されたシート１３を、下流側領域８ｂには中抵抗領域の導電性樹脂により構成されたシートを貼り付けてもよい。
【００３２】
本発明におけるガイド板搬送面８１の下流側領域８ｂを構成する中抵抗領域の導電性樹脂の体積抵抗率が、１０6Ω・ｃｍ以上１０9Ω・ｃｍ以下であると、下流側領域８ｂの表面に帯電した電荷の自己放電が十分に促される。このとき、特に高い画像乱れ防止効果が得られるので好ましい。体積抵抗率がこの範囲より高いと、シートとの摩擦によって中抵抗領域の導電性樹脂により構成される下流側領域８ｂの表面の電荷は自己放電されないために、徐々に表面電位が上昇してしまうので、十分な効果が得られにくい。また、体積抵抗率が上記範囲よりも低いと、シートが下流側領域８ｂに接触した際に、シート表面のトナーと電気的に釣り合った転写紙裏面のプラス電荷が下流側領域８ｂに流れ込む。このとき、シートによるトナーの吸着が不安定となり画像の乱れを起こす場合がある。
【００３３】
中抵抗領域の導電性樹脂がポリエチレンをベース樹脂とするものとすると、シートとの摩擦による帯電が特に軽減されるので好ましい。体積抵抗率がこの領域以上であると、シートとの摩擦により下流側領域８ｂが帯電してしまう恐れがある。
【００３４】
また、本発明で用いる絶縁性樹脂の体積抵抗率が、１０13Ω・ｃｍ以上１０15Ω・ｃｍ以下の絶縁性樹脂であると、上流側領域８ａへのシートの電荷の流れ込みによる画像の乱れの発生をより確実に防止できる。体積抵抗率が上記範囲よりも低い場合には、上流側領域８ａへシートの電荷が流れ込みやすくなり、このとき画像乱れが発生しやすくなる。
【００３５】
本発明で用いる絶縁性樹脂が、ポリカーボネート、ポリエチレンテレフタレート、ポリカーボネートとポリエチレンテレフタレートとの混合樹脂から絶縁性樹脂であると、これら樹脂は高い体積抵抗率を有するので上流側領域８ａへのシートの電荷の流れ込みによる画像の乱れの発生をより確実に防止できるとともに、精度良い、信頼性の高い成形物を得ることができる。ここで、上記３つの絶縁性樹脂のうち、ポリエチレンテレフタレートであることがより好ましい。
【００３６】
次に、本発明に係る他の転写装置の例について図５及び図６を用いて説明する。
【００３７】
図５はガイド板搬送面８１にリブ部１４が設けられた転写装置の例をモデル的に示す構成図であり、図６は図５に示された転写装置の転写出口ガイド部材８の上面図である。
【００３８】
図５、及び、図６に示された転写装置は、図１に示された転写装置の構成をすべて備え、かつ、そのガイド板搬送面８１には図６（図６中、シート搬送方向を矢印で示す）に示されているように、ガイド板搬送面８１の上流側領域８ａには絶縁樹脂により構成されたシート１３を、下流側領域８ｂには中抵抗領域の導電性樹脂により構成されたシート１２が、それぞれ貼り付けられている。
【００３９】
さらにこの転写装置では、ガイド板搬送面８１に、ガイド板搬送面８１から突出した畝状のリブ部１４が複数設けられている。このような構成により、シートとガイド板搬送面８１とはリブ部１４（１４ａ）のみで接するために接触面積は少ないために、摩擦による帯電は小規模なものとなる。
【００４０】
さらに、これら複数のリブ部１４が、シートの搬送方向上流側から下流側へ、ガイド板搬送面８１幅方向外側に向かって広がるように設けられている。このような構成により複数のリブ部１４による搬送しわの発生が予め防止されている。ここで、シートの搬送方向とリブ部１４とがなす角度が１５〜２５°の傾きとなるようにリブ部を形成することが、良好なシート搬送性と高い搬送しわ発生防止効果とを両立できるので好ましい。
【００４１】
この例では、これら複数のリブ部１４のうち、ガイド板搬送面８１幅方向中央近くに設けられた２つのリブ部１４ａのシートの搬送方向上流側端が互いにＶ字状に接している。さらにシートの搬送方向上流側端がＶ字状に接した２つのリブ部１４ａ以外のリブ部１４のシートの搬送方向上流側の端は、ガイド板搬送面８１幅方向中央側に隣接するリブ部１４（あるいは１４ａ）のシートの搬送方向下流側の端よりもガイド板搬送面８１幅方向中央側に位置している。
【００４２】
このような構成により、シート裏面のいずれの箇所もガイド板搬送面８１と接触するとともに、シートとガイド板搬送面８１との接触箇所が分散され、シートの特定の部分に偏らないために部分的に電荷が高くなる部分が発生しない。このような構成により、シート除電手段による除電後のシートとガイド部材搬送面８１（のリブ部１４（１４ａ））との摩擦による転写出口ガイド部材８の帯電が極めて効果的に防止される。こうして、シートからガイド部材８への電荷の流入によるトナー像の乱れのリスクが効果的に抑えられる。
【００４３】
さらに海外紙サイズや不定形サイズなど、さまざまなサイズの転写材についても常に安定した搬送状態が得られる。
【００４４】
リブ部１４の材質を、転写出口ガイド部材８と同一材質とすることにより、転写出口ガイド部材８成形時にリブ部１４を同時に形成することができる。リブ部の幅を２〜４ｍｍ程度、高さを０．５〜２ｍｍ程度とすると、良好なシート搬送性が得られる。また、様々な紙サイズに対応しながら、極力転写材との接触面積を低減させるためには、３〜５ｍｍピッチで配置することが望ましい。また、複数のリブ部１４の配置は等間隔ピッチとする必要はない。
【００４５】
複数のリブ部１４（１４ａ）の配置の中心位置、すなわち、Ｖ字状に接した２つのリブ部１４ａのＶ字の先端の、搬送されるシート幅方向における位置が、例えば、Ａ４やＢ５などの定型サイズのシートが搬送される際の端部が位置する箇所より、シート内側に２〜３ｍｍ入るようにして、複数のリブ部１４（１４ａ）が設けられていることが、良好なシート搬送性が得られるので好ましい。
【００４６】
以上、本発明について、好ましい実施形態を挙げて説明したが、本発明の転写装置、及び、画像形成装置は上記実施形態の構成に限定されるものではない。
【００４７】
当業者は、従来公知の知見に従い、本発明の転写装置、及び、画像形成装置を適宜改変することができる。このような改変によってもなお本発明の研磨装置の構成を具備する限り、もちろん、本発明の範疇に含まれるものである。
【実施例】
【００４８】
図１にモデル的に示された転写装置、ただし、そのガイド板搬送面８１には図３に示されているように、ガイド板搬送面８１の上流側領域８ａには絶縁樹脂により構成されたシート１３を、下流側領域８ｂには中抵抗領域の導電性樹脂により構成されたシート１２が、それぞれ貼り付けられている、を備えた画像形成装置を用い、実際に画像形成を行った。
【００４９】
このとき、中抵抗領域の導電性樹脂により構成されたシート１２に代えて、ポリエチレンをベース樹脂とし、これに導電性成分を添加することで様々な体積抵抗率に調整されたポリエチレン系樹脂により形成された樹脂シートを用いた。このとき、ガイド板搬送面８１の上流側領域８ａには絶縁樹脂により構成されたシート１３として、体積抵抗率が１０15Ω・ｃｍのポリエチレンからなるシートを用い、それぞれ２０００枚ずつの画像形成を行った。その後、得られた画像に対して目視で搬送チリの有無を評価した。
【００５０】
また、中抵抗領域の導電性樹脂により構成されたシート１２に代えて金属のシート（銅箔）を用いて画像形成を行い、同様に搬送チリの有無を評価した。
【００５１】
ここで、搬送チリが目視にて画像の乱れがない状態のときを搬送チリ発生防止効果が十分であるとして「○」、画像の乱れが確認できるレベルのときを効果が不十分であるとして「×」と、それぞれ評価した。
【００５２】
そのとき、用いたシートを構成する樹脂の体積抵抗率と搬送チリについての評価結果とを表１に示す。
【００５３】
【表１】
0005953859.tif 000002
【００５４】
表１から、中抵抗領域の導電性樹脂として体積抵抗率が、１０6Ω・ｃｍ以上１０9Ω・ｃｍ以下のものを用いると、高い搬送チリ発生防止効果が得られることが理解される。
【００５５】
また、上記同様にして、ただし中抵抗領域の導電性樹脂により構成されたシート１２として体積抵抗率が１０9Ω・ｃｍのポリエチレンからなるシートを用い、絶縁性樹脂により構成されたシート１３に代えて、ポリエチレンテレフタレートをベース樹脂とし、これに導電性成分を添加することで（導電性成分を添加しないものも含め）様々な体積抵抗率に調整されたポリエチレンテレフタレート系樹脂により形成された樹脂シートを用い、画像形成を行い、得られた画像に対して、上記同様にして搬送チリの発生の有無を評価した。このとき、用いたシートを構成する樹脂の体積抵抗率と搬送チリについての評価結果とを表２に示す。
【００５６】
【表２】
0005953859.tif 000003
【００５７】
表２により、絶縁性樹脂として体積抵抗率が、１０13Ω・ｃｍ以上１０15Ω・ｃｍ以下ものを用いると、高い搬送チリ発生防止効果が得られることが理解される。
【符号の説明】
【００５８】
１    感光体ドラム(像担持体)
２    無端状ベルト
３    ケーシング
４    従動ローラ
５    駆動ローラ
６    バイアスローラ
７    高圧電源
８    転写出口ガイド部材
８１  ガイド板搬送面
８２  スリット部
８ａ  上流側領域
８ｂ  下流側領域
９    除電部材
９ａ  先端
１０  転写出口ガイド板
１２  中抵抗領域の導電性樹脂により構成されたシート
１３  絶縁性樹脂により構成されたシート
【先行技術文献】
【特許文献】
【００５９】
【特許文献１】特開２００９−２３７５２２号公報
【図１】
0005953859.tif 000004
【図２】
0005953859.tif 000005
【図３】
0005953859.tif 000006
【図４】
0005953859.tif 000007
【図５】
0005953859.tif 000008
【図６】
0005953859.tif 000009
【図７】
0005953859.tif 000010
【図８】
0005953859.tif 000011